(57)【要約】本発明は、詳細な個人履歴をデジタルデータ形態でデータバンクに記憶し、オペレータが一定の期間、遺伝情報を含む個人データを継続してアップデートし、利用者又は利用者の子孫を認識して、前記データバンクに蓄積されたデータを確認又は検査できるようにし、利用者の管理を行い、利用者の死亡の際に、遺骨と特定成分を混合して、キラキラ輝く遺骨含有成形品を特定形状に製造し、前記成形品を展示館に設置して管理し、子孫が特定日に故人の情報を調べるか又は前記データを受けることにより、遺骨の管理を容易にし、あらゆる種類の個人情報を容易に検査するか又は得るようにし、博物館又は展示館を訪問しなくてもデータ又は情報を検査することができ、店を訪問しなくても物品を見るか購入することができるようにする、インターネットを基盤とする博物館システムに関する。
2004510264.tif 000002
【特許請求の範囲】
【請求項１】
会員管理システム１２、電子キーシステム１３、個人情報管理システム１４、情報伝達処理システム１５、展示館４０の管理システム１６、展示館４０の情報伝達システム１７、及び遺骨含有成形品製造者５０の管理システム１８からなり、オペレータ１０により管理されるオペレータサーバー１１と；
電子キーシステム２２、データベース２３、及び情報伝達処理システム２４からなり、データバンク管理者２０により管理されるデータバンク２１と；
利用者の全ての詳細情報をオペレータ１０に伝達し、オペレータサーバー１１に接続してデータバンク２１から情報を受信し、オペレータから各種の情報を受ける利用者端末３１と；
故人の遺骨含有成形品が展示され、データバンク２１から情報を受け、これを多様な媒体を介してディスプレイする手段を持っており、訪問者を管理し、安全装置を有する展示館４０の端末４１と；
遺骨含有成形品を製造するため、遺骨を受け取り特殊形態に製造する遺骨含有成形品製作所５０の端末５１とからなることを特徴とする、インターネットを基盤とする博物館システム。
【請求項２】
請求項１に記載の、前記会員管理システム１２は、会員となろうとする人の個人情報、会費納付方法、情報を受ける手段、会員等級などを入力すると、会員固有のＩＤと固有パスワードを付与し、会費納付現況を持続的に確認し会員の地位を継続して維持するか剥奪させる機能をすることを特徴とする、インターネットを基盤とする博物館システム。
【請求項３】
請求項１に記載の、会員もしくは一般の人がデータバンク２１に接続して特定の情報を受けるとき、前記電子キーシステム１３は、会員を認証し又は受けるべき情報の種類や限界を設定し、データバンク２１に接続した一般人が蓄積されている各種情報を毀損することを妨げることを特徴とする、インターネットを基盤とする博物館システム。
【請求項４】
請求項１に記載の、前記個人情報管理システム１４は、会員が提供する各種情報をデジタル化して、会員の要請又はオペレータ１０の判断によって情報の等級を分類してデータバンク２１に記憶することを特徴とする、インターネットを基盤とする博物館システム。
【請求項５】
請求項１に記載の、前記情報伝達処理システム１５はデータバンク２１から受信した各種データを利用者３０に提供するよう機能することを特徴とする、インターネットを基盤とする博物館システム。
【請求項６】
請求項１に記載の、前記電子キーシステム２２はオペレータサーバー１１の電子キーシステム１３に連動して、予め入力されているパスワードが一致する場合に限り、特定情報の閲覧又は提供が可能であるようにし、オペレータ１０、データバンク管理者２０及び利用者３０が持っているパスワードが一致する場合にだけ特定の情報閲覧又は提供ができるようにし、オペレータ１０、データバンク管理者２０及び利用者３０は合議によってパスワードを変更し得るように構成されることを特徴とする、インターネットを基盤とする博物館システム。
【請求項７】
請求項１に記載の、前記データベース２３はオペレータサーバー１１の個人情報管理システム１４と情報データ入出力装置によりデジタル化された各種情報を等級によって記憶することを特徴とする、インターネットを基盤とする博物館システム。
【請求項８】
請求項１に記載の、前記情報伝達処理システム２４はデータベース２３から利用者３０又は会員の要請により抽出した情報をオペレータサーバー１１に移送することを特徴とする、インターネットを基盤とする博物館システム。
【発明の詳細な説明】
【０００１】
（技術分野）
本発明はインターネットを基盤とする個人用及び商業用展示博物館システムに係り、より詳しくは、詳細な個人履歴をデジタルデータ形態でデータバンクに記憶し、オペレータが一定の期間、遺伝情報を含む個人データを継続してアップデートし、利用者又は利用者の子孫を認識して、前記データバンクに蓄積されたデータが確認又は検査できるようにし、利用者の管理を行い、利用者の死亡の際に、遺骨と特定成分を混合して、キラキラ輝く遺骨含有成形品を特定形状に製造し、前記成形品を展示館に設置して管理し、子孫が特定日に故人の情報を調べるか又は前記データを受けるようにし、店、博物館及び展示会に陳列された物品を三次元に撮影するか、又はカメラを装着して、展示館を訪問しないでインターネットを介して陳列物品を観察することができるインターネットを基盤とする博物館システムに関するものである。
【０００２】
（背景技術）
インターネットは期待以上に急速に膨張してきた。企業体だけでなく個人も広報のために自分のホームページを製作しているため、インターネットの数は４ヶ月ごとに倍加している。多くの人々は、芸術、文学、科学、医学、娯楽、スポーツ、政治、技術、産業及び経済を含む多様な分野に関するホームページに関心を示している。噂話から専門的なものまでの多様な内容の世界的なニュース記事が特定分野に関心がある人々が形成したニュースグループで取り扱われている。
【０００３】
一方、インターネットとデジタル技術が急速に拡散するにつれて、情報、データ及び資料の加工だけでなく出版までもデジタル形態でインターネットを介して行われている。
【０００４】
このような趨勢にともない、自叙伝も電子出版で編集されているが、このようなデータは事実と一致しないことがあり、またしばしば文字及び写真のみで構成される。更に、このようなデータは体系的に管理することができない。
【０００５】
また人々は、写真、ビデオカセット、録音カセットなどの多くの媒体を通じて多量の記録を持っているが、この記録を聞いたり見たりすることが殆どない。したがって、これら記録の大部分はその所有者が亡くなると死蔵される。
【０００６】
特に、データバンクに自分のデータ又はその先祖のデータを作り、自分が見たり子孫に見せたり、あるいはその情報を一般人に公開したりすることには限界がある。
【０００７】
すなわち、このようなデータを自分が作ったり又は管理したりするのは易しくなく、このようなデータは自分又は特定の人にだけ公開されるように作られ、少なくともある一定レベルの質を有するデータを製造したり管理したりすることは費用がかさむため、一般人は自分に関する記録をめったに作ることができない。
【０００８】
一方、儒教又は仏教社会の葬儀のしきたりによると、遺体を埋葬するか又は火葬後に霊廟に安置するため、遺骨が隠され、その管理にも相当な費用がかかり、多くの人々は嫌悪感のためそのような場所を訪問するのを嫌がっており、遺骨の管理にもかなりの人力及び費用がかかる。
【０００９】
ところで今に至るまで、物品を展示し、展示館及び展示品を観覧し、展示品を購買するため、人々は店又は博物館などの展示館を個人的に訪問しなければならない。
【００１０】
（発明の開示）
したがって、本発明は従来技術の前記およびその他の問題点に鑑みてなされたもので、その目的の１つは、人の詳細な個人履歴をデジタル形態でデータバンクに記憶して、その人及び子孫と一般人がその人のデータにアクセスできるようにする、インターネットを基盤とする博物館システムを提供することにある。
【００１１】
本発明のもう１つの目的は、データバンクとオペレータサーバーに連動した展示館を訪問して、又はインターネットを介して、故人の遺骨含有成形品を観覧することができ、特定の人のデータを一般人に公開し、遺骨を容易に管理し得るようにし、展示館に美観を持たせて人々が嫌悪感を感じないようにするインターネットを基盤とする博物館システムを提供することにある。
【００１２】
本発明のさらなる目的は、実況技術を用いるかカメラを装着するかして遠隔管理を行って、人々が生き生きとした現場映像を見られるようにするか、又はこの映像を見ながら物品を購入できるようにし、博物館を含む多様な展示館の建物を門から展示館に至るまで実際形態で撮影して、人々が展示館を訪問しないでサイバー空間で十分に展示館を観覧することができるようにする、インターネットを基盤とする博物館システムを提供することにある。
【００１３】
前記目的を達成するため、本発明によると、詳細な個人履歴をデジタルデータ形態でデータバンクに記憶し、オペレータが一定の期間、個人データを継続してアップデートし、利用者又は利用者の子孫を認識して、前記データバンクに蓄積されたデータを確認又は検査できるようにし、利用者の管理を行い、利用者の死亡の際に、遺骨と特定成分を混合して、キラキラ輝く遺骨含有成形品を特定形状に製造し、前記成形品を展示館に設置して管理し、子孫が特定日に故人の情報を調べるか又は前記データを受けることにより、遺骨の管理を容易にし、あらゆる種類の個人情報を容易に検査するか又は得るようにする。
【００１４】
（発明を実施するための最良の形態）
以下、添付図面に基づいて本発明をより詳細に説明する。
【００１５】
本発明によるインターネットを基盤とする個人博物館システムは、オペレータ１０により管理されるオペレータサーバー１１と、前記システムを使用するための会員登録を可能にし、会員が資格を維持するようにし、会員に多様な情報を提供する手段を有する会員管理システム１２と、会員と一般人を識別し会員のみが接続できるようにする電子キーシステム１３と、会員情報をデジタル化し定期的にデータバンク２１にアップデートさせる個人情報管理システム１４と、デジタル化された情報を電話機、ファックス、携帯電話、ＰＣＳ（Ｐｅｒｓｏｎａｌ　Ｃｏｍｍｕｎｉｃａｔｉｏｎｓ　Ｓｅｒｖｉｃｅ）、インターネット及び個人コンピュータネットワークなどの多様な形態の通信媒体に伝達するためのプラットフォームを構築する情報伝達処理システム１５と、展示館４０の管理システム１６と、展示館４０の情報伝達システム１７と、遺骨含有成形品製造者５０の管理システム１８からなり；会員のみが接続できるようにする電子キーシステム２２、個人の全ての詳細履歴を記憶しているデータベース２３、及び情報をオペレータサーバー１１に伝送する情報伝達処理システム２４からなり、データバンク管理者２０により管理されるデータバンク２１と；個人の全ての詳細情報をオペレータ１０に伝達し、オペレータサーバー１１に接続してデータバンク２１から情報を受け、オペレータから各種の情報を受けるための利用者端末３１と；故人の遺骨含有成形品が展示され、データバンク２１から情報を受け、これを多様な媒体を介してディスプレイし得る手段を持っており、訪問者を管理し、安全装置を有する展示館４０の端末４１と；遺骨を受け取りそれを遺骨含有成形品を製造するため特殊形状に製造するための遺骨含有成形品製作所５０の端末５１とからなる。
オペレータサーバー１１は、利用者に提供しようとする音声メッセージ、文字メッセージ及び各種情報データを入力し、利用者が提供する情報を出力するための会員からの情報及びデータバンク２１の各種情報データ入出力装置１９を含むが、この情報データ入出力装置１９はオペレータの通信手段及びコンピュータとなり得る。
【００１６】
会員となろうとする人の個人情報、会費納付方法、情報を受ける手段、希望の会員等級などを入力すると、会員管理システム１２は会員固有のＩＤと固有パスワードを付与し、会費納付現況を持続的に確認し会員の地位を継続して維持したり剥奪したりする。
【００１７】
会員管理システム１２は会員の死亡の際、予め決めた契約により地位を承継すべく指定された人に連絡し、認証する会員の等級を決定し、受けるべき情報を規定する。
【００１８】
電子キーシステム１３は、会員を認証し、又は会員か一般人がデータバンク２１に接続して特定情報を受けるとき、受けるべき情報の種類及び限界を設定し、接続した一般人がデータバンク２１に記憶された各種情報を毀損しないようにする装置である。
【００１９】
電子キーシステム１３は、データバンク２１の電子キーシステム２２に連動し、予め入力されているパスワードが一致する場合にだけ特定情報の閲覧又は提供を可能にし、オペレータ１０、データバンク管理者２０及び利用者３０が持っているパスワードが一致する場合に限り、特定情報の閲覧又は提供が可能であるようにし、オペレータ１０、データバンク管理者２０及び利用者３０は合議によりパスワードを変更し得るように構成する。
【００２０】
個人情報管理システム１４は、会員が提供する各種情報をデジタル化して、会員の要請又はオペレータ１０の判断によって情報の等級を分類して、データバンク２１に記憶する。
【００２１】
すなわち、利用者３０又は会員は、写真、録音テープ、ビデオテープ、デジタルカメラなどから得たデジタルデータ、愛蔵品を、また日記、著書、自叙伝などの文書のような各種情報をオペレータ１０に提供し、利用者３０又は会員の死亡時には、オペレータはその子孫から前記のような各種情報を受けた後、これをデジタルデータに変換し、これをデータバンク２１のデータベース２３に記憶する。
【００２２】
利用者３０又は会員あるいはその子孫から各種情報を受けるとき、情報に等級を与えてするが、情報の等級指定がない場合には、オペレータ１０が通常の慣例にしたがって等級を指定しデータバンク２１のデータベース２３に記憶し、情報を随時提供されるようにするが、６ヶ月又は１年などのように一定の周期にアップデートされるようにする。
【００２３】
情報伝達処理システム１５は、データバンク２１から伝送された各種データを受信して利用者３０に提供する手段であって、電話機、ファックス、携帯電話、ＰＣＳ、インターネット、ＰＣネットワークなどの多様な形態の通信媒体に伝達するためのプラットフォームを構築し、利用者３０が予め決めたデータ受信手段にデータを送信する。
【００２４】
展示館管理システム１６は展示館４０が毀損しないでそのまま維持されるようにするために構成されるものであって、展示館４０の内部温度、湿度などを最適に維持し、訪問者の統制だけでなく、訪問者が展示館を毀損することを防止する役割をする。
【００２５】
展示館情報伝達システム１７は、展示館に安置されている遺骨含有成形品が毀損なく注意深く保管されていることを確認させるため、利用者３０の要求に応じて現状に関する各種データを各種通信媒体を介して提供し、利用者３０又は会員あるいはその子孫から受けた各種資料に対するデータも提供できるようにする。
【００２６】
遺骨含有成形品製作所管理システム１８は、利用者３０又は会員の死亡の際、彼との契約又は子孫の要請に応じて遺体を火葬し、これに特定の化学成分を混合して美しい真珠状に成形する遺骨含有成形品製作所を管理する。遺骨含有成形品製作所５０は利用者３０又は会員の死亡の際に、遺体の安置又は火葬だけでなく埋葬までの葬儀のすべての手順までも子孫に代って行えるようにし、徹底した管理及び安全を確保して遺体及び遺骨の毀損がないようにするとともに便利性を向上させる。
【００２７】
情報データ入出力装置１９は、利用者３０が提供した各種情報を入力し、入力事項を修正及び補完するために出力するシステムであって、例えばオペレータ１０の端末がこれに相当する。
【００２８】
データバンク２１はデータバンク管理者２０により管理され、電子キーシステム２２、データベース２３、情報伝達処理システム２４などからなる。
【００２９】
データバンク２１はオペレータ１０が直接運営することもできるが、確実な保安及び情報の毀損防止などのため、別途事業者、できれば銀行などのようなデータバンク管理者２０に別途サーバーを構築するのが好ましい。
【００３０】
電子キーシステム２２はオペレータサーバー１１の電子キーシステム１３に連動して、予め入力されているパスワードが一致する場合に限り、特定情報の閲覧又は提供が可能であるようにし、オペレータ１０、データバンク管理者２０及び利用者３０が持っているパスワードが一致する場合にだけ特定情報の閲覧又は提供ができるようにし、オペレータ１０、データバンク管理者２０及び利用者３０は合議によってパスワードを変更し得るように構成する。
【００３１】
電子キーシステム１３、２２は、保安及びデータの流出防止、データの毀損防止などのため、オペレータサーバー１１とデータバンク２１にそれぞれ別途に構成する。
【００３２】
データベース２３は、オペレータサーバー１１の個人情報管理システム１４と情報データ入出力装置によりデジタル化された各種情報を、等級によって分類し、等級別に分類されて記憶されたデータを、等級に応じて一般人にも提供できるようにする。
【００３３】
すなわち、データベース２３は等級に応じて情報を記憶し、誰でも受けられる情報は一般のネティズンがオペレータのサーバー１１を介して受けるようにし、個人情報、遺言などは家族又は特定の人にだけ提供されるようにするなど、情報に差等を置いて記憶する。
【００３４】
情報伝達処理システム２４は、データベース２３から利用者３０又は会員の要請により抽出した情報を、オペレータサーバー１１に移送するものであって、電子キーシステム２２に連動しており、利用者３０の認証及び情報提供の範囲を確認した後、特定範囲の情報のみが提供されるようにする。
【００３５】
このように構成される本発明のシステムの作用を説明すると次のようである。
【００３６】
まず、オペレータ１０は、会員管理システム１２、電子キーシステム１３、個人情報管理システム１４、情報伝達処理システム１５、展示館管理システム１６、展示館情報伝達処理システム１７、遺骨含有成形品製作所管理システム１８、及び情報データ入出力装置１９を有するオペレータサーバー１１を構築し、展示館４０を構築し、データバンク管理者２０及び遺骨含有成形品製作所５０と連動して遺骨含有成形品の製造がいつでも可能であるようにし、データバンクが電子キーシステム２２、データベース２３及び情報伝達処理システム２４などから構成されるようにして、オペレータ１０とデータバンク管理者２０、展示館４０及び遺骨含有成形品製作所５０との間に密接な組織的関係がなされるようにする。
【００３７】
次に、オペレータ１０は会員を募集して、例えば写真、録音テープ、デジタルカメラから得たデジタルデータ、愛蔵品を、また日記、著書、自叙伝などの各種文書のような各種情報を受けた後、これをデジタルデータに変換するとともに会員３０の要請又はオペレータ１０の判断に応じて等級を決めてデータバンク２１のデータベース２３に記憶する。
【００３８】
会員又はその子孫は情報が随時提供できるようにし、提供された情報はオペレータ１０によりデジタル化され定期的にデータベース２３にアップデートされるようにする。
【００３９】
この際、オペレータ１０とデータバンクマネジャー２０との間にも電子キーシステム１３、２２が稼動され、オペレータのほかの誰もデータバンク２１に接近できないようにして、情報の毀損又は機密漏洩などが防止されるようにする。
【００４０】
一方、会員が死亡するか、又は会員がその先祖の遺体を展示館４０に移して安置しようとする場合には、オペレータに有線／無線又は会員管理システム１２を用いて連絡をすると、オペレータ１０は、死亡時には会員又は会員の子孫の要請に応じて全ての葬儀手順を代行するだけでなく、遺体を火葬し遺骨含有成形品製作所５０で成形品を製作して展示館４０に安置させ、安置された成形品を常にモニタして、会員、会員の子孫及び他人が観察できるようにする。
【００４１】
このように構成され、一般の利用者３０もオペレータサーバー１１に接続して一般の情報を受けることができる。
【００４２】
特に、データバンク２１に記憶されている人の命日である場合、子孫はオペレータサーバー１１に接続し、法事に列席しながら、データバンク２１からマルチメディア更にはホログラムを介して故人の画像を、また情報を受けるようにし、生前の姿を各種媒体を介して生き生きと確認できるようにして、子孫が先祖の姿を確認し得るようにするとともに、自分の出生に関連した詳細な事項を知り得るようにする。
【００４３】
そのうえ、一般人もどんな特定の人の情報も容易に得ることができるだけでなく、多くの人々のデータが記憶されると、別の歴史的な考証がなくても後にその人の資料を十分に得ることができる。
【００４４】
（産業上の利用可能性）
以上説明したように、本発明によると、詳細な個人履歴がデジタルデータ形態でデータバンクに記憶され、オペレータが一定の期間、遺伝情報を含む個人データを継続してアップデートし、利用者又は利用者の子孫を認識して、前記データバンクに蓄積されたデータを確認又は検査できるようにし、利用者の管理を行い、利用者の死亡の際に、遺骨と特定成分を混合して、キラキラ輝く遺骨含有成形品を特定形状に製造し、前記成形品を展示館に設置して管理し、子孫が特定日に故人の情報を調べるか又は前記データを受けることにより、遺骨の管理を容易にし、あらゆる種類の個人情報を容易に検査するか又は得るようにし、博物館又は展示館を訪問しなくてもデータ又は情報を検査することができ、店を訪問しなくても物品を見るか購入することができる。
【図面の簡単な説明】
【図１】
図１は、本発明によるシステムを示す概略図である。
【図２】
図２は、本発明の構成を示す概略図である。
【符号の説明】
１０　オペレータ
２０　データバンク
３０　利用者
４０　展示館管理者
５０　遺骨含有成形品の製造者
【図１】
2004510264.tif 000003
【国際公開パンフレット】
2004510264.tif 000004
2004510264.tif 000005
2004510264.tif 000006
2004510264.tif 000007
2004510264.tif 000008
2004510264.tif 000009
2004510264.tif 000010
2004510264.tif 000011
2004510264.tif 000012
2004510264.tif 000013
2004510264.tif 000014
2004510264.tif 000015
2004510264.tif 000016
2004510264.tif 000017
【国際調査報告】
2004510264.tif 000018